(57)【要約】      （修正有）【課題】硝子体手術の際等に眼球内に刺し込まれる挿入部材の眼外にある部位の剛性を補強し、眼内に挿入される部分の細径化によって低侵襲手術を可能にするとともに、操作性の向上や術者の負担軽減を可能にする。【解決手段】硝子体手術の際等に眼球内に挿入される挿入部材としての管状部材の眼外に位置する部分の剛性を強化する補強部材７を有し、この補強部材は、挿入部材の眼内への挿入量に応じて剛性を強化する長さを変化させるために補強部材の少なくとも一部が挿入部材としての管状部材２軸方向に沿って移動可能となるように構成した。【選択図】図３
2009072221.tif 000002
【特許請求の範囲】
【請求項１】
硝子体手術の際等に眼球内に挿入される細管状もしくは針状の挿入部材を備えた眼科用手術器具であって、
前記挿入部材の眼外に位置する部分の剛性を強化する補強部材を有し、
前記補強部材は、前記挿入部材の眼内への挿入量に応じて前記剛性を強化する長さを変化させるために前記補強部材の少なくとも一部が前記挿入部材の軸方向に沿って移動可能に構成されていることを特徴とする眼科用手術器具。
【請求項２】
前記補強部材は、前記挿入部材に嵌合される管状部材であることを特徴とする請求項１記載の眼科用手術器具。
【請求項３】
前記挿入部材を取り付け固定する固定部材であって、その中心軸に沿って設けた取り付け孔に前記挿入部材を嵌めて取り付け固定するようにした固定部材を有し、
前記固定部材には、前記管状の補強部材の少なくとも一部を収納する補強部材収納孔が形成され、
前記挿入部材の眼内への挿入量に応じて前記補強部材の少なくとも一部が補強部材収納孔に収納されることによって、前記剛性を強化する長さを変化させるように構成されていることを特徴とする請求項２記載の眼科用手術器具。
【請求項４】
前記補強部材に対して眼球の方向に働く付勢力を加えるばね手段が設けられていることを特徴とする請求項３に記載の眼科用手術器具。
【請求項５】
前記補強部材は、前記挿入部材に嵌合される嵌合部を有し、前記挿入部材の軸方向に沿って自らの長さが伸縮自在に構成されていることを特徴とする請求項１記載の眼科用手術器具。
【発明の詳細な説明】
【技術分野】
【０００１】
本発明は、硝子体手術の際等に眼球内に刺し入れる細管状もしくは針状の挿入部材を備えた器具に関し、例えば、黄斑上膜、糖尿病網膜症、白内障、緑内障、硝子体混濁等の治療に使用されるものに関する。
【背景技術】
【０００２】
近年、眼科手術分野においては低侵襲手術が主流になりつつある。この低侵襲手術の試みについて、硝子体手術を例にとって説明する。硝子体手術の適応としては、先進諸国における中途失明原因の多くを占める糖尿病網膜症や加齢黄斑変性などがある。硝子体手術に際しては、一般的に３ポートを作成する。この３ポートとは、（１）灌流カニューラ、（２）ライトガイド、（３）硝子体セッシ、硝子体カッター等の器具を出し入れするポートである。
【０００３】
実際の手術では、器具を出し入れするポートに細管状の器具を入れ、この器具の先端にある作業部を眼底付近の患部に近づけ、顕微鏡で観察しながら硝子体剥離や膜処理を行う。
【０００４】
硝子体手術器具を挿入するポートは強角膜に作成されるが、これまでの２０Ｇ（器具の直径：０．９ｍｍ）の器具を使用する場合、結膜切開を行った後、強膜に穿孔するため、手術後に強膜及び結膜を縫合する必要があった。このため、手術には多くの出血が伴った。また、結膜切開を行うので、手術中または手術後に強膜と結膜の間に雑菌が入りやすく、感染症や炎症の原因となることが考えられる。
【０００５】
上記のような手術を低侵襲で行うため、近年では、２０Ｇ（直径：０．９ｍｍ）よりも径の小さい２３Ｇ（直径０．６５ｍｍ）や２５Ｇ（直径０．５ｍｍ）といったような細径化された器具が用いられつつあり、また術式の工夫もなされている。
【０００６】
２３Ｇや２５Ｇといった手術器具では、器具の外径が小さいために、一般的には、図１２に示すように、トロカール４１と呼ばれる器具（貫通ガイド）を用いて眼（眼球）１０の内外を連絡するトンネルを作成し、そのトンネルを通じて手術器具２０を出し入れする。
【０００７】
手術器具２０はその先端に作業部２１を有し、この作業部２１がある先端側を眼１０内に挿入し、眼１０外の基端側を手動で移動操作することにより、作業部２１を所定の目的部位に誘導し、所定の処置（あるいは検査）を行う。器具２０は、図示するように、眼１０内への挿入口を支点Ｐにして移動操作される。
【０００８】
トロカール４１を設置するための穿孔は、結膜上から行うため、結膜の温存が可能である。また、穿孔の際、結膜をややずらして穿孔することにより、手術終了後にトロカールを抜去すると、ずらした結膜が復元して強膜の穿孔口を保護することができる。このため、術後の感染症や炎症を抑制する効果がある。
【０００９】
しかし、２３Ｇや２５Ｇといった細径化された手術器具では、細径化にともなって器具の剛性が低下する。このため、図１３に示すように、器具２０の先端を眼１０内の目的部位に移動させるために、眼１０外の基端側を手動で移動操作すると、たとえば図中に破線で示すように、器具２０に大きな撓みが生じやすい。
【００１０】
このような細径化された器具２０を使って目的部位を処置するためには、その器具２０の撓みを考慮しながら経験勘を頼りに手術を行う必要があった。このため、眼内で細かい処置を行うためには、非常に高度に熟練した技術が必要であった。
【００１１】
なお、把持部側（基端側）の外径に比べて先端の作業部側の外径を細くすることによって、眼内での視認性及び操作性をよくし、デリケートな動きを達成し、緻密な処理を可能にした眼科用手術器具として、特許文献１に開示のものが知られている（特許文献１の段落０００５乃至０００７）。この特許文献１に開示された眼科用手術器具によれば、径の細い先端の作業部側の外径に比較して、把持部側（基端側）の外径が太くなっているので、結果的にその部分の剛性が強化されている。
【００１２】
【特許文献１】実用新案登録第３１０１４６０号
【発明の開示】
【発明が解決しようとする課題】
【００１３】
しかしながら、特許文献１に開示されたものでは、図１４に示すように、器具２０の作業部２１を眼１０の内部の所定位置に挿入するには、器具２０の把持部側（基端側）の大きな外径を有する部位２２も眼１０内に挿入されることになり、そのための大きな創口が必要になる。つまり、特許文献１に記載のものは、従来の外径の太いものを用いたものと同じであって、その先端側の作業部の近傍のみを細くしたものに過ぎず、術後感染症や炎症のリスクが増大して低侵襲手術とならない点では、従来の太いタイプのものとなんらかわらないものである。
【００１４】
上述したように、従来の眼科用手術器具は、低侵襲手術を行うために器具を細径化すると、器具が撓みやすくなって手術での操作性が低下し、これによって術者の負担が大きくなり、また処置可能範囲が狭くなるといった問題があるものであり、これを解決できるものは未だ考えられていなかった。
【００１５】
本発明は以上のような問題を鑑みたものであって、その目的は、眼内に挿入される部分を細径化して低侵襲手術を可能にするとともに、眼内の処置可能範囲を広く確保でき、さらにその操作性を向上させて、細かい手術も術者の負担を増すことなく可能にした眼科用手術器具を提供することにある。
【課題を解決するための手段】
【００１６】
上述の課題を解決するための手段として、本発明は次のような解決手段を提供する。
（１）硝子体手術の際等に眼球内に挿入される細管状もしくは針状の挿入部材を備えた眼科用手術器具であって、
前記挿入部材の眼外に位置する部分の剛性を強化する補強部材を有し、
前記補強部材は、前記挿入部材の眼内への挿入量に応じて前記剛性を強化する長さを変化させるために前記補強部材の少なくとも一部が前記挿入部材の軸方向に沿って移動可能に構成されていることを特徴とする眼科用手術器具。
（２）前記補強部材は、前記挿入部材に嵌合される管状部材であることを特徴とする（１）記載の眼科用手術器具。
（３）前記挿入部材を取り付け固定する固定部材であって、その中心軸に沿って設けた取り付け孔に前記挿入部材を嵌めて取り付け固定するようにした固定部材を有し、
前記固定部材には、前記管状の補強部材の少なくとも一部を収納する補強部材収納孔が形成され、
前記挿入部材の眼内への挿入量に応じて前記補強部材の少なくとも一部が補強部材収納孔に収納されることによって、前記剛性を強化する長さを変化させるように構成されていることを特徴とする（２）記載の眼科用手術器具。
（４）前記補強部材に対して眼球の方向に働く付勢力を加えるばね手段が設けられていることを特徴とする（３）記載の眼科用手術器具。
（５）前記補強部材は、前記挿入部材に嵌合される嵌合部を有し、前記挿入部材の軸方向に沿って自らの長さが伸縮自在に構成されていることを特徴とする（１）記載の眼科用手術器具。    
【発明の効果】
【００１７】
前記挿入部材の眼内への挿入量に応じて前記剛性を強化する長さを変化させるために前記補強部材の少なくとも一部が前記挿入部材の軸方向に移動可能に構成されていることから、挿入部材の眼内への挿入量にかかわらず、前記挿入部材の眼外に位置する部分が補強部材によってその剛性が強化されるようにすることが可能になる。これによって、眼内に挿入される部分を細径化して低侵襲手術を可能にするとともに、眼内の処置可能範囲を広く確保でき、さらにその操作性を向上させて、細かい手術も術者の負担を増すことなく行わせることができる。
【発明を実施するための最良の形態】
【００１８】
図１は本発明の一実施の形態にかかる眼科用手術器具の要部断面図であり、図２は図１のＡ部拡大図、図３は一実施の形態にかかる眼科用手術器具の使用状態を示した図、図４及び図５は補強部材の下部フランジ部７２の変形例を示す図，図６乃至図１１は補強部材の変形例を示す図である。
【００１９】
図１に示される眼科用手術器具は、硝子体セッシに本発明を適用した例である。この眼科用手術器具は、本体把持部５と、この本体把持部５に対して移動自在に取り付けられたピストン部材３と、このピストン部材３の中心軸に沿って形成された取り付け穴３１に嵌合されて該ピストン部材３に固定された管状部材２と、この管状部材２が軸方向に移動自在なようにこの管状部材２の管部に嵌挿された芯部材であって、基端部が本体操作部５に固定され、先端部に作業部としてのセッシ６１が設けられた芯部材６とを有する。そして、さらに、前記管状部材２に、軸方向に移動自在に嵌挿された筒状の補強部材７が設けられているものである。
【００２０】
本体把持部５は、この部分を手で把持・操作することにより、管状部材２を眼内に挿入し、管状部材２の先端部から露出されて設けられたセッシ６１を眼内の所定の部位、例えば、網膜の表面に位置させ、ピストン部材３を移動させて管状部材２を芯部材６に対して図の下方に移動させることにより、セッシ６１を狭めて網膜表面の組織を剥ぎ取る等の作業を遂行するものである。なお、本実施の形態においては、管状部材２が本発明における挿入部材に相当し、ピストン部材３が固定部材に相当する。
【００２１】
本体把持部５は、基部５１と、この基部５１に対し、図中下方に向かう途中から縦方向に切り込みを入れて３つの部位に分割したような構造を有し、図中左右に形成された２枚の板ばね部５２，５３と、中央支柱部５４と、この中央支柱部５４の下部から連続して設けられているピストン受け部５５とが一体に設けられたものである。
【００２２】
板ばね部５２，５３は、図中下方にいくにしたがって左右に広がるように形成され、前記ピストン受け部５５の手前で終端とされている。左右の板ばね部５２，５３は、互いの間隔を狭めるには力を入れて狭める必要がある。互いの間隔は、中央支柱部５４に衝突するまで狭めることができるようになっている。この板ばね部５２，５３のそれぞれの下部には、クランク５７，５８の一端部が回転自在に取り付けられている。クランク５７，５８の他端部は、ピストン部材３の上端部にそれぞれ回転自在に取り付けられている。そしてピストン部材３は、ピストン受け部５５のピストン受け孔５６に移動自在に嵌挿されている。これにより、左右の板ばね部５２，５３を狭めることで、その動きをクランク５７
，５８によって軸方向の動きに変換してピストン部材３に伝え、ピストン部材３を軸方向に移動させることができ、このピストン部材３に固定された管状部材２を軸方向に移動させることによって、セッシ６１の開閉が行われるようになっている。
【００２３】
前記補強部材７は、上・下端部にそれぞれ上部フランジ部７１、下部フランジ部７２が形成されている。ここで、前記ピストン部材３の下部には補強部材収納孔３２が設けられている。そして、前記上部フランジ部７１は前記補強部材収納孔３２内に移動自在に収納されている。補強部材収納孔３２内には、補強部材３の上部フランジ部７１に常時外方への付勢力を加える圧縮ばね部材３４が管状部材２に嵌挿されて設けられている。
【００２４】
また、図３に示されるように、下部フランジ部７２は、管状部材２を眼内に所定以上刺し入れたとき、眼の表面組織、例えば、強膜や結膜表面に押し当てられる。これにより、補強部材７自体は眼内に刺し入れられることなく、補強部材収納孔３２内への補強部材７の収納量を増やすことによって管状部材２のみが眼内に必要な距離だけ挿入できるようになる。したがって、管状部材２の眼内への挿入量にかかわらず常時管状部材２の眼外に出ている部分が補強部材７によってその剛性が補強されることになる。これにより、管状部材２の撓みによる操作性の低下を回避して、細かい手術も術者の負担を増すことなく行わせることができるようになる。
【００２５】
なお、上記実施の形態では、管状部材２をピストン部材３に固定し、このピストン部材３を移動することで管状部材２を移動させるようにしたが、これは、以下のようにしてもよい。すなわち、ピストン部材３を本体把持部５に固定してしまい、クランク５７，５８の一端部をピストン部材３に取り付けるかわりに管状部材２に取り付け、さらに、管状部材２をピストン部材３に摺動自在に取り付けるようにすることにより、管状部材２を直接移動できるようにしてもよい。
【００２６】
また、上記実施の形態ではピストン部材３を一体ものである例を掲げたが、これは必ずしも一体である必要はなく、クランク５７，５８が取り付けられる上部構造部と、補強部材収納孔３２が形成される下部構造部とを分割し、ネジ留め等の方法で結合するようにしてもよい。これによれば、メンテナンスの際等の分解や組み立てを容易にすることが可能になる。ここで、管状部材２は、例えば、２３Ｇや２５Ｇといった細径に形成されている。また、管状部材２や補強部材７等は、ステンレス等の剛性の高い材質で構成し、補強部材７と管状部材２との接触部位は潤滑性の高い材料で構成することが好ましい。また、図３に示した使用態様は、トロカールを用いない場合の例であるが、トロカールを用いるとなお好ましい。図４及び図５に示したように、トロカールを用いる場合には、下部フランジ部７２とトロカール４１のフランジ部４２とが接する部位の形状を、トロカールのフランジ部と嵌め合うような形状にするとなお好ましい。すなわち、図４に示すように、下部フランジ部７２を下側に向かって小径となるテーパ状に形成し、トロカール４１のフランジ部４２の上側に上記下部フランジ部７２のテーパ状部に嵌合するテーパ状の凹部を形成する。また、図５に示すように、下部フランジ部７２に凹部を形成し、この凹部をトロカール４１のフランジ部４２に嵌合するようにしてもよい。
【００２７】
また、上述の実施の形態では、補強部材として、上下にフランジ部７１，７２を設けた筒状部材からなる補強部材７を用いる例を掲げた。この場合、上記例では、補強部材７に常時外方への付勢力を加える手段として、管状部材２に嵌挿された圧縮ばね部材３４を用いる例を掲げた。しかし、この付勢力を加える手段としては、図７に示したように、ピストン部材３にその一端を固定し他端部を補強部材７に固定したトーションばね３４ａを用いてもよい。また、例えば、補強部材収納孔３２を所定の気密構造にし、補強部材７の上部フランジ部７１をこの収納孔３２内を摺動するピストン状部材にすることによってエアークッションの原理による付勢力が加わるようにしてもよい。さらには、補強部材収納孔
３２内を弾性に富むスポンジ等で満たすことにより、この弾力によって上記付勢力が加わるようにしてもよい。
【００２８】
さらに、補強部材としては、自身が伸縮自在な構造をもったもの、例えば、図７に示したような蛇腹部材８１や、図８及び図９に示したようなコイルスプリング８２、８３や、あるいは、図１０及び図１１に示したような台形状ばね部材８４，８５を用いるようにしてもよい。この場合には、ピストン部材３に補強部材収納孔３２等を設ける必要もなくなり、構造を単純にできる。
【００２９】
なお、上記実施の形態は、本発明を硝子体セッシに適用した場合の例であるので、管状部材２をピストン部材３に固定してこのピストン部材３を本体把持部５に対して移動自在にして管状部材２を芯部材６に対して図中上下に移動できるようにし、先端部のセッシ６１を開閉可能な構造にした。しかし、本発明は、セッシ類に限らず、硝子体手術の際等に眼球内に刺し込まれる細管状部材もしくは針状部材を用いる器具に対して広く適用できるものである。
【００３０】
例えば、カニューラの場合のように、単に管状部材等の挿入部材が眼内に差し込まれればよいような器具や、ライトガイド等の単なる針状の挿入部材が眼内に刺し込まれればよいような器具にも本発明を適用できる。そのような場合には、本体把持部に対してピストン部材を移動して管状部材等の挿入部材を移動させるような複雑な構造をとる必要はない。そのような場合には、ピストン部材に相当する部分を直接本体把持部に相当する部分に固定するだけでよい。あるいは、ピストン部材に相当する部分で本体把持部を兼ねることもできる。勿論、ピストン部材を上下移動させるための駆動機構等も必要ない。
【００３１】
本発明は、セッシ類のほかにも、硝子体手術の際等に眼球内に刺し込まれる細管状部材もしくは針状部材を用いる器具に広く適用できる。すなわち、例えば、カニューラ類、フック類、スパーテル類、ナイフ類、チョッパー類、ライトガイド類、カッター類、針類、イレーサー類にも適用できる。
【産業上の利用可能性】
【００３２】
本発明は、硝子体手術の際等に眼球内に刺し込まれる細管状もしくは針状の挿入部材を用いる器具に広く適用でき、この挿入部材の眼外にある部位の剛性を補強することにより、眼内に挿入される部分を細径化して低侵襲手術を可能にするとともに、眼内の処置可能範囲を広く確保でき、さらにその操作性を向上させて、細かい手術も術者の負担を増すことなく行わせることができる。
【図面の簡単な説明】
【００３３】
【図１】本発明の一実施の形態にかかる眼科用手術器具の要部断面図である。
【図２】図１のＡ部拡大図である。
【図３】一実施の形態にかかる眼科用手術器具の使用状態を示した図である。
【図４】補強部材の下部フランジ部７２の変形例を示す図である。
【図５】補強部材の下部フランジ部７２の変形例を示す図である。
【図６】補強部材の変形例を示す図である。
【図７】補強部材の変形例を示す図である。
【図８】補強部材の変形例を示す図である。
【図９】補強部材の変形例を示す図である。
【図１０】補強部材の変形例を示す図である。
【図１１】補強部材の変形例を示す図である。
【図１２】従来技術の説明図である。
【図１３】従来技術の説明図である。
【図１４】従来技術の説明図である。
【符号の説明】
【００３４】
２  管状部材
３  ピストン部材
５  本体把持部
６  芯部材
７  補強部
１０  眼球  
３２  補強部材収納孔
３４  ばね部材
４１  トロカール
６１  セッシ
【図１】
2009072221.tif 000003
【図２】
2009072221.tif 000004
【図３】
2009072221.tif 000005
【図４】
2009072221.tif 000006
【図５】
2009072221.tif 000007
【図６】
2009072221.tif 000008
【図７】
2009072221.tif 000009
【図８】
2009072221.tif 000010
【図９】
2009072221.tif 000011
【図１０】
2009072221.tif 000012
【図１１】
2009072221.tif 000013
【図１２】
2009072221.tif 000014
【図１３】
2009072221.tif 000015
【図１４】
2009072221.tif 000016